(57)【特許請求の範囲】
【請求項１】
二次元コードリーダと二次元コードとにより情報を交換する情報交換方法であって、
少なくともカラーで構成された第一の二次元コードと第二の二次元コードとを書面に記載してオリジナル書面を作成するオリジナル書面作成工程と、
該オリジナル書面を白黒コピーして白黒コピー書面を作成する白黒コピー書面作成工程と、を含み、
該オリジナル書面作成工程において、
該第一の二次元コードは、二次元コードリーダが発する光の色と同色および該同色と明度が同じ補色によって情報を生成し、
該第二の二次元コードは、二次元コードリーダが発する光の色と同色および該同色と明度が異なる同色によって情報を生成し、
該第一の二次元コードは、該二次元コードリーダによる情報の検出が可能であり、該第二の二次元コードは、該二次元コードリーダによる情報の検出が不可能であり、
該白黒コピー書面作成工程において、
該白黒コピー書面の該第一の二次元コードは、該二次元コードリーダによる情報の検出が不可能であり、該白黒コピー書面の該第二の二次元コードは、該二次元コードリーダによる情報の検出が可能となり、
該オリジナル書面と該白黒コピー書面とによって、情報交換する情報交換工程を実施する二次元コードによる情報交換方法。
【請求項２】
前記書面は、製品を発注する発注書であり、
前記オリジナル書面作成工程において、
前記第一の二次元コードは、製品を示す製品情報と、納品すべき製品の個数を示す個数情報と、を少なくとも含んで構成され、
前記第二の二次元コードは、製品を示す製品情報と、納品すべき製品が分納であることを示す分納情報と、を少なくとも含んで構成され、
前記情報交換工程において、
発注元は、前記オリジナル書面を発注先に送り製品の発注を行う発注ステップを実施し、
発注先は、製品を全納する際には、オリジナル書面とともに製品を該発注元に納品する全納ステップを実施し、
発注先は、製品を分納する際には、前記白黒コピー書面とともに製品を該発注元に納品する分納ステップを実施し、
該発注元は、該全納ステップが実施された際、該オリジナル書面に記載された該第一の二次元コードを二次元コードリーダによって読み取り該第一の二次元コードのみの情報により発注した製品が全納されたことを記録し、
該発注元は、該分納ステップが実施された際、該白黒コピー書面に記載された該第二の二次元コードを読み取り該第二の二次元コードのみの情報により発注した製品が分納であることを記録する納品記録ステップを実施する、請求項１に記載の二次元コードによる情報交換方法。
【発明の詳細な説明】
【技術分野】
【０００１】
本発明は、二次元コードを二次元コードリーダで読み取ることにより情報を交換する方法に関する。
【背景技術】
【０００２】
製品の流通においては、製品管理を容易にするために、高密度に情報をコード化することができる二次元コードが用いられることがある。二次元コードを読み取るためには、例えば、下記の特許文献１に示す二次元コードリーダを使用することができる。この二次元コードリーダは、本体部と、握り部と、により構成され、本体部の前面にイメージセンサを内蔵した二次元コードの読取口を備えている。
【０００３】
通常、発注元が製品を発注する際、発注元は、製品番号や品名等の製品を特定する製品情報と、製品の個数を特定する個数情報と、製品の納品希望日等の諸情報とを発注書に記載して発注先に送る。一方、発注先は、発注書に記載された情報にしたがって在庫を確認するとともに納品可能な製品の個数を確認し、納品希望日に合うように製品を発注元に納品する。
【０００４】
製品の発注元は、製品管理を容易にするため、製品情報と個数情報とを含んだ二次元コードを発注書に記載して発注先に送り、発注先は、その発注書（納品書）とともに製品を納品している。そして、発注元は、発注先から送られてきた発注書に記載された二次元コードを二次元コードリーダで読み取ることにより、製品が全納されたことを記録し、製品の管理を行っている。
【先行技術文献】
【特許文献】
【０００５】
【特許文献１】特開２０００−２６８１２２号公報
【発明の概要】
【発明が解決しようとする課題】
【０００６】
しかしながら、発注先においては、注文を受けた個数の製品の在庫が常にあるわけではない。したがって、発注先は、製品の在庫が少ないときには、発注元の注文数に満たない個数の製品を先に納品し、残り分を後に納品することで、分納による納品を行っている。
【０００７】
発注先が上記の二次元コードが記載された発注書を添えて製品を発注元に分納すると、発注元は、発注書に記載された二次元コードを二次元コードリーダで読み取って、分納であるにもかかわらず、製品が全納されたものと誤記録してしまうことがある。この結果、発注元における製品管理が混乱してしまうという問題が生じている。
【０００８】
本発明は、上記の事情にかんがみてなされたものであり、製品が分納であったとしても、全納であると誤記録しない情報交換方法に発明の解決すべき課題がある。
【課題を解決するための手段】
【０００９】
本発明は、二次元コードリーダと二次元コードとにより情報を交換する情報交換方法であって、少なくともカラーで構成された第一の二次元コードと第二の二次元コードとを書面に記載してオリジナル書面を作成するオリジナル書面作成工程と、該オリジナル書面を白黒コピーして白黒コピー書面を作成する白黒コピー書面作成工程と、を含み、該オリジナル書面作成工程において、該第一の二次元コードは、二次元コードリーダが発する光の色と同色および該同色と明度が同じ補色によって情報を生成し、該第二の二次元コードは、二次元コードリーダが発する光の色と同色および該同色と明度が異なる同色によって情報を生成し、該第一の二次元コードは、該二次元コードリーダによる情報の検出が可能であり、該第二の二次元コードは、該二次元コードリーダによる情報の検出が不可能であり、該白黒コピー書面作成工程において、該白黒コピー書面の該第一の二次元コードは、該二次元コードリーダによる情報の検出が不可能であり、該白黒コピー書面の該第二の二次元コードは、該二次元コードリーダによる情報の検出が可能となり、該オリジナル書面と該白黒コピー書面とによって、情報交換する情報交換工程を実施する。
【００１０】
上記の書面は、製品を発注する発注書であり、上記オリジナル書面作成工程において、上記第一の二次元コードは、製品を示す製品情報と、納品すべき製品の個数を示す個数情報と、を少なくとも含んで構成され、上記第二の二次元コードは、製品を示す製品情報と、納品すべき製品が分納であることを示す分納情報と、を少なくとも含んで構成され、上記情報交換工程において、発注元は、上記オリジナル書面を発注先に送り製品の発注を行う発注ステップを実施し、発注先は、製品を全納する際には、オリジナル書面とともに製品を該発注元に納品する全納ステップを実施し、発注先は、製品を分納する際には、上記白黒コピー書面とともに製品を該発注元に納品する分納ステップを実施し、該発注元は、該全納ステップが実施された際、該オリジナル書面に記載された該第一の二次元コードを二次元コードリーダによって読み取り該第一の二次元コードのみの情報により発注した製品が全納されたことを記録し、該発注元は、該分納ステップが実施された際、該白黒コピー書面に記載された該第二の二次元コードを読み取り該第二の二次元コードのみの情報により発注した製品が分納であることを記録する納品記録ステップを実施する。
【発明の効果】
【００１１】
本発明では、オリジナル書面に記載される第一の二次元コードは、二次元コードリーダが発する光の色と同色及びその色と明度が等しい補色によって構成されるため、そのままの状態では情報を読み取ることができるが、白黒コピーして白黒コピー書面とすると、情報を読み取ることができなくなる。他方、第一の二次元コードとともにオリジナル書面に記載される第二の二次元コードは、二次元コードリーダが発する光の色と同色及びその色と明度が異なる同色によって構成されるため、そのままの状態では情報を読み取ることができないが、白黒コピーして白黒コピー書面とすると情報を読み取ることができる。したがって、オリジナル書面と白黒コピー書面とを使い分けることで、いずれか一方の二次元コードを使用して情報交換を行うことができ、伝えたい情報を確実に伝えることができ、情報が混乱することなく円滑に情報交換を行うことができる。
【００１２】
また、オリジナル書面が発注書である場合には、製品を全納する場合と分納する場合とで第一の二次元コードと第二の二次元コードとをそれぞれ作成し、全納の場合は、オリジナル書面をそのまま納品書として発注元に送り、分納の場合は、オリジナル書面を白黒コピーした白黒コピー書面を納品書として発注元に送ることにより、発注元では、いずれかの読み取り可能な二次元コードを読み取るだけで、全納であるか分納であるかを明確に把握することができ、製品管理が混乱するのを防止することができる。
【図面の簡単な説明】
【００１３】
【図１】第一の二次元コード及び第二の二次元コードが記載されたオリジナル書面の構成を示す平面図である。
【図２】第一の二次元コード及び第二の二次元コードが記載されたオリジナル書面を白黒コピーした白黒コピー書面の構成を示す平面図である。
【図３】製品全納時の情報交換工程を示す説明図である。
【図４】製品分納時の情報交換工程を示す説明図である。
【図５】製品の情報交換方法の手順を示すフローチャートである。
【発明を実施するための形態】
【００１４】
図１に示す書面は、少なくともカラーで構成された第一の二次元コード１０Ａと第二の二次元コード２０Ａとが記載されたオリジナル書面１である。オリジナル書面１は、製品の発注元が使用する製品の発注書であるとともに、発注先が発注元に製品を全納した際に発注先から発注元に送られる納品書としての機能も有している。
【００１５】
図１に示すように、第一の二次元コード１０Ａは、第一の色１００と第二の色１０１とから構成されている。第一の色１００は、二次元コードリーダが発する光の色と同色であり、第二の色１０１は、第一の色１００と明度が同じ補色である。ニ次元コードリーダの光源は赤色光となっているため、二次元コードリーダが発する光の色は赤色である。したがって、第一の色１００は赤色であり、第二の色１０１は、赤色の補色である緑色である。
【００１６】
図１に示す第二の二次元コード２０Ａは、第三の色２００と第四の色２０１とから構成されている。第四の色２０１は、二次元コードリーダが発する光の色と同色であり、第三の色２００は、第四の色２０１と明度が異なる同色である。すなわち、第四の色２０１は赤色であり、第三の色２００は、第四の色と明度が異なる同色、図示の例では、第四の色２０１よりもうすい赤色となっている。
【００１７】
図２に示す書面は、図１に示したオリジナル書面１を白黒コピーして作成した白黒コピー書面２である。白黒コピー書面２は、発注先が発注元に対して製品を分納した際に、発注先から発注元に送られる書面である。図２に示すように、白黒コピー書面２には、第一の二次元コード１０Ａが白黒コピーされた第三の二次元コード１０Ｂと、第二の二次元コード２０Ａが白黒コピーされた第四の二次元コード２０Ｂとが記載されている。第三の二次元コード１０Ｂは、全体のコントラストがはっきりしない状態となっている。一方、第四の二次元コード２０Ｂは、全体のコントラストがはっきりした状態となっている。
【００１８】
以下においては、図１に示したオリジナル書面１及び図２に示した白黒コピー書面２を用いて製品の発注元と発注先との間で製品の情報交換を行う方法について、図５に示すフローチャートに沿って、図３及び図４を参照しながら説明する。
【００１９】
二次元コードによる製品の情報交換は、発注元において開始される（ステップＳ５０）。最初に、発注元３は、オリジナル書面作成工程を実施する（ステップＳ５１）。具体的には、図３に示す発注元３は、二次元コードリーダ５が発する赤色光の色と同色である赤色の第一の色１００と、この赤色と明度が同じ補色である緑色の第二の色１０１とを組み合わせて、例えば、部品名「顕微鏡」及び部品番号「ＡＢ０００１」などの製品情報と、発注する製品の納品すべき個数を示す個数情報「１２個」とをコード化した第一の二次元コード１０Ａを生成し、オリジナル書面１に記載する。
【００２０】
第一の二次元コード１０Ａでは、二次元コードリーダ５による製品情報の検出が可能となっている。具体的には、赤色とその補色の緑色とによって構成された第一の二次元コード１０Ａに対し、二次元コードリーダ５が赤色光を投光すると、赤色光は、その補色である緑色の第二の色１０１に吸収されるとともに赤色の第一の色１００によって反射するため、二次元コードリーダ５が反射光を受光し、第一の二次元コード１０Ａを読み取って情報を検出することができる。
【００２１】
また、図３に示す発注元３は、発注先４が製品を分納する場合に備え、二次元コードリーダ５が発する赤色光と同色である赤色の第四の色２０１と、第四の色２０１と明度が異なる赤色の第三の色２００とを組み合わせて、例えば、部品名「顕微鏡」及び部品番号「ＡＢ０００１」などの製品情報と、発注先４が納品すべき製品が分納であることを示す分納情報とを少なくともコード化した第二の二次元コード２０Ａも生成し、オリジナル書面１に記載する。
【００２２】
第二の二次元コード２０Ａは、二次元コードリーダ５による製品情報の検出が不可能となっている。具体的には、第二の二次元コード２０Ａを構成する第三の色２００及び第四の色２０１は、ともに二次元コードリーダが発する光の色と同色であり、ともに二次元コードリーダ５から投光された赤色光を反射させるため、二次元コードリーダ５によって第二の二次元コード２０Ａを読み取って情報を検出することが不可能となっている。
【００２３】
発注元３は、製品の情報を含む第一の二次元コード１０Ａ及び第二の二次元コード２０Ａに加え、納品希望日を記載してオリジナル書面１を作成する。なお、発注先４がオリジナル書面１に記載された情報を把握できるようにするために、発注元３は、第一の二次元コード１０Ａ及び第二の二次元コード２０Ａの記載の他に、部品名及び部品番号などの製品情報と、発注する製品の個数とをオリジナル書面１に記載しておく。このようにして、オリジナル書面作成工程が終了する（ステップＳ５１）。
【００２４】
次に、発注元３は、オリジナル書面１を作成した後、図５に示すように発注元３と発注先４との間における製品の情報交換工程を実施する（ステップＳ５２）。以下においては、情報交換工程を各ステップに分けて説明する。
【００２５】
（１）  発注ステップ
まず、発注元３は、少なくとも第一の二次元コード１０Ａ及び第二の二次元コード２０Ａが記載されたオリジナル書面１を発注先４に送って製品を発注する（ステップＳ５２０）。オリジナル書面１は、インターネット等の通信回線を通じて送ることができる。
【００２６】
（２）全納ステップ
発注先４は、オリジナル書面１に記載された情報に従って、発注された個数（例えば、１２個）の製品の在庫があるか否かを確認する（ステップＳ５２１）。発注先４は、製品の在庫が足りると確認できた場合は、図３に示すように、オリジナル書面１を納品書として発注元３に送るとともに、製品を発注元３に全納する（ステップＳ５２３）。
【００２７】
（３）分納ステップ
一方、発注先４は、オリジナル書面１において発注された製品の個数分の在庫がないと判断した場合には、製品を分納するための準備として、白黒コピー書面作成工程（ステップＳ５３）に進む。
【００２８】
白黒コピー書面作成工程において、発注先４は、図１に示したオリジナル書面１を白黒コピーして、図２に示した白黒コピー書面２を作成する。ここで、図４に示す第一の二次元コード１０Ａを構成する第一の色１００と第二の色１０１とは明度が同じであるため、これの白黒コピーである第三の二次元コード１０Ｂは、コントラストがはっきりせず、二次元コードに含まれる情報を二次元コードリーダ５によって認識することができない状態になる。したがって、発注先４が製品を発注元に分納する際に、白黒コピー書面２を発注元３に送ると、発注元３では第三の二次元コード１０Ｂを読み取ることができない。
【００２９】
一方、第四の二次元コード２０Ｂは、明度が異なる２色からなる第二の二次元コード２０Ａを白黒コピーしたものであり、２つの白黒コピー色２００´、２０１´の白黒のコントラストがはっきりしているとともに、両色は赤色の補色でもないため、二次元コードリーダ５によって第四の二次元コード２０Ｂに含まれる情報を読み取ることができる。
【００３０】
なお、分納された製品の個数を発注元３が把握することができるように、図４に示す発注先４は、分納する製品の個数（例えば、５個）を白黒コピー書面２に記載しておく。このようにして、白黒コピー書面作成工程（ステップＳ５３）が終了する。
【００３１】
発注先４は、分納時は、白黒コピー書面２を作成した後、発注元３に対し、オリジナル書面１を送らずに、白黒コピー書面２を送るとともに、発注数に満たない個数（例えば、５個）の製品を分納する（ステップＳ５２２）。白黒コピー書面２は、インターネット等の通信回線を通じて送ることができる。
【００３２】
（４）納品記録ステップ
発注先４において上記の全納ステップ（ステップＳ５２３）が実施された場合は、図３に示す発注元３は、発注先４から納品されたオリジナル書面１に記載された第一の二次元コード１０Ａを二次元コードリーダ５によって読み取り、全納されたことをコンピュータのハードディスク等に記録する処理を行う。なお、オリジナル書面１に記載された第二の二次元コード２０Ａは、読み取り不可能となっているため、発注元３が二次元コードリーダ５により第二の二次元コード２０Ａを読み取ることはない。したがって、発注元３において、分納であると誤認識することはない。
【００３３】
一方、発注先４において上記の分納ステップ（ステップＳ５２２）が実施された場合は、図４に示す発注元３は、発注先４から納品された白黒コピー書面２に記載された第四の二次元コード２０Ｂを二次元コードリーダ５によって読み取り、分納されたことをコンピュータのハードディスク等に記録する処理を行う。分納確認を明確に行うことで、残りの個数の納品管理を行うことができる。なお、白黒コピー書面２に記載された第三の二次元コード１０Ｂは読み取り不可能となっているため、発注元３が二次元コードリーダ５により第三の二次元コード１０Ｂを読み取ることはない。したがって、発注元３において、全納であると誤認識することはない。
【００３４】
このようにして、発注元３では、全納か分納かを明確に区別して認識し、納品処理を終了する（ステップＳ５４）。
【００３５】
以上のように、全納を示す情報と分納を示す情報とをそれぞれ別々に含む２種類の二次元コードをオリジナル書面１に記載し、第一の二次元コードは、そのままの状態では情報を読み取れるが白黒コピーすると情報を読み取れなくなる色で構成し、第二の二次元コードは、そのままの状態では情報を読み取れないが白黒コピーすると情報を読み取れる色で構成する。そして、全納の場合は第一の二次元コードのみを用いて納品処理を行い、分納の場合は第二の二次元コードのみを用いて納品処理を行うことで、発注元において全納か分納かを明確に区別して管理することができるようになり、製品管理が混乱するのを防止することができる。
【００３６】
なお、本実施形態では、発注元と発注先との間での発注及び納品における情報のやりとりについて説明したが、本発明は、情報の交換を行う他の分野にも適用することができる。
【符号の説明】
【００３７】
１：オリジナル書面
２：白黒コピー書面
３：発注元
４：発注先
５：二次元コードリーダ
１０Ａ：第一の二次元コード
１００：第一の色  １０１：第二の色
２０Ａ：第二の二次元コード
２００：第三の色  ２０１：第四の色
１０Ｂ：第三の二次元コード
２０Ｂ：第四の二次元コード
２００´、２０１´：白黒コピー色
【図１】
0005908781.tif 000002
【図２】
0005908781.tif 000003
【図３】
0005908781.tif 000004
【図４】
0005908781.tif 000005
【図５】
0005908781.tif 000006